(57)【要約】［課題］脂肪組織の温度分布を計測するのみならず、高含水組織と脂肪組織の混合組織について温度分布を測定する温度分布測定方法ならびに温度分布画像化方法を提供する。［解決手段］核磁気共鳴分光法によって被計測対象組織の水成分に依存する水信号と、脂肪成分に依存する脂肪信号とを取得するとともに、脂肪信号を、各脂肪酸成分に分離することによって各脂肪酸信号を取得し、水信号と水温度との相関関係に基づいて高含水組織の温度を測定するとともに、各脂肪酸信号と脂肪温度との相関関係に基づいて脂肪組織の温度を計測する。
2011040439.tif 000002
【特許請求の範囲】
【請求項１】
脂肪組織、または高含水組織と脂肪組織の混合組織を被計測対象組織とする、該被計測対象組織の温度分布を計測する温度分布計測方法であって、
核磁気共鳴分光法によって前記被計測対象組織の水成分に依存する水信号と、脂肪成分に依存する脂肪信号とを取得するとともに、前記脂肪信号を、炭化水素基構造の異なる各種脂肪酸成分に分離することによって各種脂肪酸信号とし、
前記水信号と水温度との相関関係に基づいて前記高含水組織の温度を測定するとともに、前記各種脂肪酸信号の内の少なくとも１種の脂肪酸信号と脂肪温度との相関関係に基づいて前記脂肪組織の温度を計測することを特徴とする温度分布計測方法。
【請求項２】
前記被計測対象組織を所定の大きさの計測単位に分割し、計測単位毎に前記水信号および脂肪信号を取得することによって、計測単位毎に前記高含水組織および前記脂肪組織の温度を計測することを特徴とする請求項１に記載の温度分布計測方法。
【請求項３】
前記計測単位における被計測対象組織の水成分および脂肪成分の含有量に応じて、計測単位毎に得られた水温度および脂肪温度の加重平均値を算出し、該加重平均値を計測単位における被計測対象組織の温度とすることを特徴とする請求項２に記載の温度分布計測方法。
【請求項４】
前記各種脂肪酸信号のうちＣＨ2基依存信号およびＣＨ3基依存信号の内のいずれか、または両方を用いて前記脂肪組織の温度を計測することを特徴とする請求項１から３のいずれかに記載の温度分布計測方法。
【請求項５】
複フリップ角法、反転回復法、飽和回復法のいずれかを用いて各種脂肪酸成分の縦緩和時間を測定し、該縦緩和時間を各種脂肪酸信号と脂肪温度との相関パラメータとすることを特徴とする請求項１から４のいずれかに記載の温度分布計測方法。
【請求項６】
前記各種脂肪酸成分の縦緩和時間の測定と、前記水信号の測定とを同時に行うことを特徴とする請求項５に記載の温度分布計測方法。
【請求項７】
請求項１から６のいずれかに記載の温度分布計測方法を用いて測定された被計測対象組織の温度分布を、温度の高低を信号の強度に変換してマッピングすることによって、温度分布画像を作成することを特徴とする温度分布画像化方法。
【発明の詳細な説明】
【技術分野】
【０００１】
本発明は、プロトン（1Ｈ）の核磁気共鳴（Nuclear Magnetic Resonance、以下、ＮＭＲという）を用いた脂肪組織、または高含水組織と脂肪組織の混合組織を被計測対象組織とする、該被計測対象組織の温度分布を計測する温度分布計測方法、ならびに、計測された温度分布に基づいて温度分布画像を作成する温度分布画像化方法に関する。
【背景技術】
【０００２】
がんの治療法の１つとしてハイパーサーミア、熱焼灼、熱的壊死などの加温療法がある。この加温療法は、治療対象部位を一定温度以上にまで加温することで治療対象部位の組織を死滅させる方法を通してがん治療を行うものである。【０００３】
加温療法の具体的方法としては、例えば、治療対象部位に高周波電流を流すことによって加温する誘電加温と呼ばれる方法や、超音波を治療対象部位に集中させることによって加温する集束超音波法などがある。【０００４】
このような加温療法を行う場合には、治療対象部位の周囲に存在する非治療対象部位の温度までもが同時に上昇してしまい、治療効果に影響を与える可能性があることから、治療対象部位のみならず周囲の非治療対象部位を含めて広く組織の温度を迅速かつ正確に測定することが求められる。【０００５】
従来、加温療法における温度測定では、熱電対などのプローブを治療対象部位およびその周囲に設置することによって行われていた。しかしながら、このような侵襲的な温度測定方法では、非治療対象部位に対する負荷が懸念され、非侵襲的な温度測定方法が必要とされていた。【０００６】
このため、特許文献１に開示されているように、水プロトンの核磁気共鳴信号（水信号）を用いて組織の温度分布を計測し、画像化する方法が提案されている。【０００７】
このような温度分布画像化方法においては、核磁気共鳴装置を用いて、位相マッピング法あるいは核磁気共鳴分光画像化法による水プロトンの化学シフトに注目して、その温度変化の画像化を行っている。この手法は現在、動きの小さな高含水組織などの温度分布計測に限って実用化されている。【０００８】
一方、乳がんの集束超音波治療などにおいては、高含水組織である乳腺と、それと脂肪組織との混合組織である乳房が被計測対象組織となる。【０００９】
しかしながら、含水量の少ない脂肪組織において、水信号を捉えて温度分布画像化を行うことは、信号分離の不完全さ、部分体積効果、信号対雑音比（以下、Ｓ／Ｎという）の観点から実用化に至っていない。【００１０】
そこで、非特許文献１から非特許文献３に開示されているように、脂肪組織に対して核磁気共鳴信号を利用して温度を計測することが提案されている。【００１１】
この計測方法においては、脂肪組織の周波数スペクトル（化学シフト）を観測することなく、脂肪組織全体の積分信号の縦緩和時間（Ｔ1）や強度を利用して温度計測を行っている。
【先行技術文献】
【特許文献】
【００１２】
【特許文献１】特開２００５−４６５８８号公報
【非特許文献】
【００１３】
【非特許文献１】Hynynen K, McDannaold N, Mulkern RV, Jolesz FA, “Temperature monitoring in fat with MRI”, Magn Reson Med 2000; 43(6): 901-904
【非特許文献２】Chen J, Daniel BL, Pauly KB, “Investigation of proton density for measuring tissue temperature”, J Magn Reson Imaging 2006; 23(3): 430-434
【非特許文献３】K. M. Johnson, V. Chebrolu, and S. B. Reeder, “Absolute Temperature imaging with Non-Linear Fat/Water Signal Fitting” (2008)
【非特許文献４】黒田  輝, 小原  真, Cauteren MV, “脂質各成分の緩和時間の温度依存性とその温度分布画像化への応用”, 日本磁気共鳴医学会雑誌 2008
【非特許文献５】Stefan Bluml, Lothar R. Schad, Boris Stepanow, Walter J. Lorenz, “Spin-Lattice Relaxation Time Measurement by Means of a TurboFLASH Technique”, MRM 30:289-295 (1993)
【非特許文献６】ADRIAN P. CRAWLEY and R. MARK HENKELMAN, “A Comparison of One-Shot and Recovery Methods in T1 Imaging”, MAGNETIC RESONANCE IN MEDICINE 7, 23-34 (1988)
【発明の概要】
【発明が解決しようとする課題】
【００１４】
通常、脂肪組織のプロトン（1Ｈ）核磁気共鳴信号の周波数スペクトルを観測すると、１０前後の周波数成分に分離することが可能であり、これらの周波数成分は、様々な脂肪酸の化学構造を構成する炭素と水素の結合形態、例えば、ＣＨ3基、ＣＨ2基、ＣＨ基などの炭化水素基構造の相違に依存するものである。本明細書においては、これらの炭化水素基成分を脂肪酸成分と呼ぶ。【００１５】
しかしながら、このように脂肪組織の周波数スペクトルを観測することなく脂肪温度を測定した場合には、明確な温度依存性を有しておらず、定量的な温度測定を行うことは出来なかった。【００１６】
非特許文献４においては、図３に示すように、脂肪組織の周波数スペクトルを観測し、各種脂肪酸成分に信号を分離することによって、各脂肪酸成分、特にＣＨ2基成分及びＣＨ3基成分の信号における縦緩和時間（Ｔ1）と温度との間に相関関係が生じることを開示している。【００１７】
さらに、各脂肪酸成分に対しては、温度依存性を有する複数の核磁気共鳴パラメータとして、共鳴中心周波数、強度、半値全幅、縦緩和時間（Ｔ1）、横緩和時間（Ｔ2）、拡散定数（Ｄ）などが存在することが開示されている。【００１８】
しかしながら、非特許文献４においては、各脂肪酸成分における縦緩和時間（Ｔ1）と温度との相関関係について開示されているのみであって、高含水組織または脂肪組織の少なくともいずれかを含む組織の温度分布を計測する実現可能な手法については開示されていなかった。【００１９】
本発明は、各種脂肪酸成分において温度依存性を有するパラメータの測定を通して、脂肪組織の温度分布を計測するのみならず、高含水組織と脂肪組織の混合組織へも適用して、その温度分布を測定する温度分布測定方法ならびに温度分布画像化方法を提供することを目的とする。【００２０】
さらに、高含水組織と脂肪組織との混合組織であっても、温度測定誤差が小さく、例えば、乳がんの集束超音波治療などの際の温度測定にも実用化し得る温度分布測定方法ならびに温度分布画像化方法を提供することを目的とする。
【課題を解決するための手段】
【００２１】
本発明は、上述したような目的を達成するためになされた発明であって、本発明の温度分布計測方法は、脂肪組織、または高含水組織と脂肪組織の混合組織を被計測対象組織とする、該被計測対象組織の温度分布を計測する温度分布計測方法であって、
核磁気共鳴分光法によって前記被計測対象組織の水成分に依存する水信号と、脂肪成分に依存する脂肪信号とを取得するとともに、前記脂肪信号を、炭化水素基構造の異なる各種脂肪酸成分に分離することによって各種脂肪酸信号を取得し、
前記水信号と水温度との相関関係に基づいて前記高含水組織の温度を測定するとともに、前記各種脂肪酸信号の内の少なくとも１種の脂肪酸信号と脂肪温度との相関関係に基づいて前記脂肪組織の温度を計測することを特徴とする。【００２２】
また、本発明の温度分布計測方法は、前記被計測対象組織を所定の大きさの計測単位に分割し、計測単位毎に前記水信号および脂肪信号を取得することによって、計測単位毎に前記脂肪組織の温度を計測することを特徴とする。【００２３】
また、本発明の温度分布計測方法は、前記計測単位における被計測対象組織の水成分および脂肪成分の含有量に応じて、計測単位毎に得られた水温度および脂肪温度の加重平均値を算出し、該加重平均値を計測単位における被計測対象組織の温度とする。【００２４】
また、本発明の温度分布計測方法は、前記各種脂肪酸信号のうちＣＨ2基のプロトンに依存する信号（本発明において「ＣＨ2基依存信号」ともいう。他の各脂肪酸信号に関しても同様である。）およびＣＨ3基依存信号の内のいずれか、または両方を用いて前記脂肪組織の温度を計測することを特徴とする。【００２５】
また、本発明の温度分布計測方法は、複フリップ角法、反転回復法、飽和回復法のいずれかを用いて各種脂肪酸成分の縦緩和時間を測定し、該縦緩和時間を各種脂肪酸信号と脂肪温度との相関パラメータとすることを特徴とする。【００２６】
また、本発明の温度分布画像化方法は、上述する温度分布計測方法を用いて測定された被計測対象組織の温度分布を、温度の高低を信号の強度に変換してマッピングすることによって、温度分布画像を作成することを特徴とする。
【発明の効果】
【００２７】
本発明によれば、脂肪組織の温度分布計測のみならず、高含水組織と脂肪組織との混合組織の温度分布計測においても、核磁気共鳴信号を各種脂肪酸成分に分離し、その内の少なくとも１種の脂肪酸成分において温度依存性を有するパラメータを用いて温度計測を行っているため、測定温度誤差が少ない、正確な温度計測を行うことができる。
【図面の簡単な説明】
【００２８】
【図１】図１は、本発明による温度分布計測方法を用いて被計測対象組織の温度分布画像を作成する流れを説明するための概略図である。
【図２】図２は、複フリップ角法を用いた場合の、ＣＨ2基の縦緩和時間（Ｔ1）および水の核磁気共鳴周波数による温度推定を行うアルゴリズムのフロー図である。
【図３】図３は、非特許文献４において開示された、オリーブオイルを核磁気共鳴分光法（1Ｈ  ＮＭＲ）によって分離した各脂肪酸成分、特にＣＨ２基成分及びＣＨ３基成分の信号における縦緩和時間（Ｔ1）と温度との相関関係を示す図である。
【図４】図４は、図３と同様に、ウシの脂質を核磁気共鳴分光法（1Ｈ  ＮＭＲ）によって分離した各脂肪酸成分、特にＣＨ２基成分及びＣＨ３基成分の信号における縦緩和時間（Ｔ1）と温度との相関関係を示す図である。
【図５】図５は、重クロロフォルムに溶解したオリーブオイル（テトラメチルシラン（ＴＭＳ）添加）、オリーブオイル、マヨネーズ、ウシの脂質、ブタの脂質に対して核磁気共鳴分光法（1Ｈ  ＮＭＲ）を用いて各脂肪酸成分を分離し測定した場合の、ＣＨ2基成分の信号及びＣＨ3基成分の信号におけるＴ1の（ａ）３０℃における絶対値、（ｂ）温度との相関係数、（ｃ）温度係数［ｍｓ／℃］、（ｄ）３０℃における絶対値に対する相対的温度係数［％／℃］の値を示すグラフである。
【図６】図６は、本発明の温度分布測定方法を用いて測定する実施例を説明するための図であって、図６（ａ）は、本発明の温度分布計測方法においてＣＨ2基成分の信号を用いて温度測定を行った場合の温度変化を表す温度分布画像、図６（ｂ）は、本発明の温度分布計測方法においてＣＨ3基成分の信号を用いて温度測定を行った場合の温度変化を表す温度分布画像である。
【図７】図７は、図６（ａ）、図６（ｂ）における被測定物の構成を説明するための図である。
【発明を実施するための形態】
【００２９】
以下、本発明の実施の形態（実施例）を、図面を参照しながら説明する。
【００３０】
図１は、本発明による温度分布計測方法を用いて被計測対象組織の温度分布画像を作成する流れを説明するための概略図である。
【００３１】
この実施例では、被計測対象組織として高含水組織と脂肪組織との混合組織を用いて、所定断面における温度分布を計測し、温度分布画像を作成している。
【００３２】
被計測対象組織の断面における温度分布を計測するためには、まず、断面を所定の大きさの計測単位に分割する。なお、この計測単位ごとに温度測定が行われるため、計測単位を小さくすれば詳細な温度計測を行うことができるが、Ｓ／Ｎが低下してしまい、測定精度が低下してしまうため、装置構成に応じた適切な計測単位を設定することが望ましい。このように計測単位毎に測定された温度は、その後、被計測対象組織全体に亘って、温度分布として表示し、かつ画像化して表示する。
【００３３】
そして、被計測対象組織に対して、複フリップ角法を用いて、各計測単位毎の縦磁化の変化による信号を読み出す。複数のフリップ角について、それぞれエコー時間（ＴＥ）を変化させて（ＴＥ1，ＴＥ2，…ＴＥm）測定することによって、ごく短い時間で、温度分布画像を作成するために必要な信号を全て読み出すことができる。
【００３４】
なお、測定時にフリップ角を変化させる回数や、エコー時間を変化させる回数については、特に限定されるものではないが、例えば、２つのフリップ角について５つのエコー時間における信号を取得すれば、迅速にかつ正確に、温度分布画像を作成するために必要な信号を取得することができる。
【００３５】
図２は、複フリップ角法を用いた場合の、ＣＨ2基の縦緩和時間（Ｔ1）および水の核磁気共鳴周波数による温度推定を行うアルゴリズムのフロー図である。
【００３６】
図２のフロー図に示すように、複フリップ角法を用いて取得した信号を、複数点ディクソン法を用いて水信号と脂肪信号とを分離し、さらに脂肪信号からＣＨ2基成分に依存するＣＨ2基依存信号と、ＣＨ3基成分に依存するＣＨ3基依存信号に分離する。
【００３７】
これを、全てのフリップ角（例えば、α1，α2，…，α10）の画像に対して行うことによって、ＣＨ2基あるいはＣＨ3基の縦緩和時間（Ｔ1）を測定する。
【００３８】
そして、このようにして得られたＣＨ2基あるいはＣＨ3基の縦緩和時間（Ｔ1）が有する温度依存性、すなわち、図３，４に示すような縦緩和時間（Ｔ1）と温度との相関関係に基づいて、各計測単位毎の脂肪温度を決定する。
【００３９】
図３（ａ）は、非特許文献４において開示された、オリーブオイルを核磁気共鳴分光法（1Ｈ  ＮＭＲ）によって分離した各脂肪酸成分における縦緩和時間（Ｔ1）と温度との関係を示す図であり、図３（ｂ）は、ＣＨ2基成分の信号における縦緩和時間（Ｔ1）と温度との相関関係を示す図、図３（ｃ）は、ＣＨ3基成分の信号における縦緩和時間（Ｔ1）と温度との相関関係を示す図である。
【００４０】
図３（ｂ）によれば、ＣＨ2基成分の信号における縦緩和時間（Ｔ1）と温度には、３４ｍｓ／℃の相関関係があることが示されている。また、図３（ｃ）によれば、ＣＨ3基成分の信号における縦緩和時間（Ｔ1）と温度には、７４ｍｓ／℃の相関関係があることが示されている。
【００４１】
図４は、図３と同様に、ウシの脂質を核磁気共鳴分光法によって分離した各脂肪酸成分、特にＣＨ２基成分及びＣＨ３基成分の信号における縦緩和時間（Ｔ1）と温度との相関関係を示す図である。
【００４２】
図４（ａ）に示されるように、ウシの脂質に対して核磁気共鳴分光法を用いて各脂肪酸成分を分離し、その信号を検知することで、各脂肪酸成分の信号、特に図４（ｂ）に示すＣＨ２基成分及び図４（ｃ）に示すＣＨ３基成分の信号において、縦緩和時間（Ｔ1）と温度とが相関関係にあることがわかる。
【００４３】
図４（ｂ）によれば、ＣＨ2基成分の信号における縦緩和時間（Ｔ1）と温度には、１１．５ｍｓ／℃の相関関係があることが示されている。また、図４（ｃ）によれば、ＣＨ3基成分の信号における縦緩和時間（Ｔ1）と温度には、３７．１ｍｓ／℃の相関関係があることが示されている。
【００４４】
図３，４と同様に、重クロロフォルムに溶解したオリーブオイル（テトラメチルシラン（ＴＭＳ）添加）、オリーブオイル、マヨネーズ、ウシの脂質、ブタの脂質に対して核磁気共鳴分光法を用いて各脂肪酸成分を分離し測定した場合の、ＣＨ2基成分の信号及びＣＨ3基成分の信号におけるＴ1の（ａ）３０℃における絶対値、（ｂ）温度との相関係数、（ｃ）温度係数［ｍｓ／℃］、（ｄ）３０℃における絶対値に対する相対的温度係数［％／℃］を図５にそれぞれ示す。
【００４５】
このように、異なる脂質であっても、縦緩和時間（Ｔ1）と温度との相関係数は、ほぼ１を示しており、縦緩和時間と温度とは良好な相関関係にあることが実証できた。
【００４６】
なお、ＣＨ2基成分の信号は、図３に示す８番の信号と９番の信号のように分離されて現れることがあり、図５におけるＣＨ２  ｒｉｇｈｔとは、図３（ａ）において、ＣＨ2基成分の信号のうち右側に現れる信号を意味している。したがって、図４（ａ）に示すように、ＣＨ2基成分が分離されていない場合には、ＣＨ２  ｓｉｎｇｌｅとしてデータを表示している。
【００４７】
なお、各計測単位毎に脂肪温度を、例えば、温度の高い単位は高信号に、温度の低い単位は低信号に変換してマッピングすることによって、脂肪温度分布画像を作成することができる。この場合、脂肪温度分布画像においては、高信号、すなわち高温の箇所は白く、低信号、すなわち低温の箇所は黒く表示されることになる。
【００４８】
一方、水信号については、水プロトンの複素核磁気共鳴信号の位相分布（複素核磁気共鳴信号の実部画像および虚部画像）を求め、これら複素核磁気共鳴信号の位相の変化量に基づいて各計測単位毎の水温度を決定する（特許文献１の段落［００３７］〜［００４４］）。
【００４９】
そして、各計測単位毎に水温度を、例えば、温度の高い単位は高信号に、温度の低い単位は低信号に変換してマッピングすることによって、水温度分布画像を作成することができる。この場合、水温度分布画像においては、高信号、すなわち高温の箇所は白く、低信号、すなわち低温の箇所は黒く表示されることになる。
【００５０】
このようにして得られた、脂肪温度分布画像と水温度分布画像を合成することによって、被計測対象組織の温度分布画像を作成することができる。
【００５１】
脂肪温度分布画像と水温度分布画像の合成においては、各計測単位毎に、水成分及び脂肪成分の含有量に応じた加重平均を採る。すなわち、計測単位において、脂肪温度もしくは水温度のどちらか片方のみが得られた場合には、得られた温度を計測単位における被計測対象組織の温度とし、脂肪温度と水温度の両方が得られた場合には、計測単位における脂肪含有量の割合と水含有量の割合を用いて、数１のように被計測対象組織の温度を算出する。
【００５２】
［数１］
Ｔｔ＝Ｔｆ×Ｒｆ＋Ｔｗ×Ｒｗ
（Ｔｔ：計測単位における被計測対象組織の温度（単位：℃）、Ｔｆ：脂肪温度（単位：℃）、Ｒｆ：脂肪の含有割合（単位：質量％または体積％）、Ｔｗ：水温度（単位：℃）、Ｒｗ：水の含有割合（単位：質量％または体積％））
このように計測単位毎に脂肪温度および水温度を合成することによって被計測対象組織の温度分布を計測しているため、高含水組織と脂肪組織との混合組織であっても、正確に温度分布を計測することができる。
【００５３】
なお、本実施例では、被計測対象組織として高含水組織と脂肪組織の混合組織を用いているが、被計測対象組織が脂肪組織のみからなる組織の場合には、水信号と水温度との相関関係に基づいて高含水組織の温度を測定するステップを省略することができる。
【００５４】
なお、本実施例では、縦緩和時間（Ｔ1）を求めるために、複フリップ角法を用いているが、これに限定されるものではなく、例えば、Ｌｏｏｋ−Ｌｏｃｋｅｒ法と反転回復法を組み合わせて用いたり、飽和回復法を用いることによって、縦緩和時間を求め、水信号およびＣＨ2基依存信号、ＣＨ3基依存信号を分離して、温度分布画像を作成してもよい。
【００５５】
以上、本発明の好ましい実施例を説明したが、本発明はこれに限定されることはなく、例えば、本明細書においては各脂肪酸信号としてＣＨ2基依存信号とＣＨ3基依存信号のみを用いているが、これに限らず、他の脂肪酸成分、例えば、ＣＨ＝ＣＨ，Ｃ−ＣＨ2−Ｃ＝，Ｃ＝Ｃ−ＣＨ2などの炭化水素構造に基づく信号を用いることもできる。
【００５６】
また、各種脂肪酸成分の縦緩和時間の測定と、水信号の測定とを同時に行ったり、各種脂肪酸成分の縦緩和時間の測定において、縦磁化強度の標本化時刻を最適化することもできる。
【００５７】
さらに、各種脂肪酸信号の変化を、該変化の方向に対して等間隔で分割し、該分割点に対応した時刻において標本化することや、縦磁化強度を変化させるとともに、縦磁化強度の変化範囲を最適化することもできる。
【００５８】
また、各種脂肪酸成分の縦緩和時間の測定と同時に、水信号における複数のエコー信号から位相分布を計測し、被計測対象組織の温度変化前の位相分布と、被計測対象組織の温度変化後の位相分布との差から、水プロトン共鳴周波数の変化を求めて水成分の温度変化を推定することにより水温度を算出することも可能など、本発明の目的を逸脱しない範囲で種々の変更が可能である。
【実施例】
【００５９】
図６（ａ）は、本発明の温度分布計測方法においてＣＨ2基成分の信号を用いて温度測定を行った場合の温度変化を表す温度分布画像、図６（ｂ）は、本発明の温度分布計測方法においてＣＨ3基成分の信号を用いて温度測定を行った場合の温度変化を表す温度分布画像、図７は、図６（ａ）、図６（ｂ）における被測定物の構成を説明するための図である。【００６０】
本実施例における被測定物１０は、図７に示すように、水部１２と脂部１４ａ，１４ｂから構成される。水部１２は、水を含有するプラスチックケースであり、脂部１４ａ，１４ｂは、オリーブオイルを含有するプラスチックケースである。【００６１】
なお、初期状態において水部１２と脂部１４ａは室温に置かれた状態（＠ＲＴ）となっており、脂部１４ｂはマイクロ波加熱を行い６５℃まで温度を上昇させてある（＠ＶＴ）。【００６２】
そして、脂部１４ａ，１４ｂをそれぞれ水部１２に接触させた状態で、どのように温度が変化するかを、本発明の温度分布計測方法を用いて測定している。【００６３】
図６（ａ）、図６（ｂ）に示すように、ＣＨ2基成分の縦緩和時間を用いて温度測定した場合であっても、ＣＨ3基成分の縦緩和時間を用いて温度測定した場合であっても、同様に、水と脂質の温度変化を正確に計測することが可能になっている。
【図１】
2011040439.tif 000003
【図２】
2011040439.tif 000004
【図３】
2011040439.tif 000005
【図４】
2011040439.tif 000006
【図５】
2011040439.tif 000007
【図６】
2011040439.tif 000008
【図７】
2011040439.tif 000009
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
脂肪組織、または高含水組織と脂肪組織の混合組織を被計測対象組織とする、該被計測対象組織の温度分布を計測する温度分布計測方法であって、
核磁気共鳴分光法によって前記被計測対象組織の水成分に依存する水信号と、脂肪成分に依存する脂肪信号とを取得するとともに、前記脂肪信号を、炭化水素基構造の異なる各種脂肪酸成分に分離することによって各種脂肪酸信号とし、
前記被計測対象組織を所定の大きさの計測単位に分割し、計測単位毎に前記水信号および脂肪信号を取得し、
前記水信号と水温度との相関関係に基づいて前記高含水組織の温度を測定するとともに、前記各種脂肪酸信号の内の少なくとも１種の脂肪酸信号と脂肪温度との相関関係に基づいて前記脂肪組織の温度を計測し、
前記計測単位における被計測対象組織の水成分および脂肪成分の含有量に応じて、計測単位毎に得られた水温度および脂肪温度の加重平均値を算出し、該加重平均値を計測単位における被計測対象組織の温度とすることを特徴とする温度分布計測方法。
【請求項２】
（削除）
【請求項３】
（削除）
【請求項４】
前記各種脂肪酸信号のうちＣＨ２基依存信号およびＣＨ３基依存信号の内のいずれか、または両方を用いて前記脂肪組織の温度を計測することを特徴とする請求項１に記載の温度分布計測方法。
【請求項５】
複フリップ角法、反転回復法、飽和回復法のいずれかを用いて各種脂肪酸成分の縦緩和時間を測定し、該縦緩和時間を各種脂肪酸信号と脂肪温度との相関パラメータとすることを特徴とする請求項１または４に記載の温度分布計測方法。
【請求項６】
前記各種脂肪酸成分の縦緩和時間の測定と、前記水信号の測定とを同時に行うことを特徴とする請求項５に記載の温度分布計測方法。
【請求項７】
請求項１または４から６のいずれかに記載の温度分布計測方法を用いて測定された被計測対象組織の温度分布を、温度の高低を信号の強度に変換してマッピングすることによって、温度分布画像を作成することを特徴とする温度分布画像化方法。
【国際調査報告】
2011040439.tif 000010
2011040439.tif 000011
2011040439.tif 000012